(57)【特許請求の範囲】
【請求項１】
回転駆動するモータ部と、
前記モータ部の回転駆動を伝達する伝達部と、
前記伝達部によって伝達される単一の前記モータ部の回転駆動力によってポンプ室を膨張・収縮させて流体を吸入口から吸入し吐出口から吐出するポンプ部と、
前記ポンプ部から供給される前記流体を取りこむ吸気口と、前記流体を外部に吐出する複数の流体吐出口と、排気口とを有し、前記伝達部によって伝達される前記単一のモータ部の回転駆動力によって回転されることで前記複数の流体吐出口が順次前記吸気口と択一的に切り替えられるロータリーバルブ部と、
を備え、
前記ポンプ部の駆動に伴う流体吐出時には前記ポンプ部から前記ロータリーバルブ部側に流体を供給可能な流路と、前記ポンプ部が停止されて前記ポンプ部側の圧力が減圧されることで前記ロータリーバルブ部が大気解放される流路とを有するエキゾーストバルブを前記ポンプ部と前記ロータリーバルブ部との間に備え、
前記ポンプ部が停止されて前記ポンプ部側の圧力が減圧されることで前記エキゾーストバルブが大気開放された状態となり、該エキゾーストバルブの大気開放された流路によって前記ロータリーバルブ部が大気開放されることを特徴とする電動ポンプ。
【発明の詳細な説明】
【技術分野】
【０００１】
本発明は、電動ポンプに関する。
【背景技術】
【０００２】
従来、電動ポンプとしては、モータの駆動に伴って回転駆動する駆動軸の周方向に複数設けられた作動部を前記駆動軸の回転によって順次往復運動させて、各作動部に連結された各ダイヤフラムが構成する各ポンプ室を順次膨張・収縮させて流体を吸入口から吸入して吐出口から吐出するものがある（例えば、特許文献１参照）。
【０００３】
上記のような電動ポンプは、例えば車両シート内に収容されたブラダーに接続されてブラダーを膨張・収縮させることで、乗員に対して刺激を付与することが可能となっている。
【先行技術文献】
【特許文献】
【０００４】
【特許文献１】特開２０１３−１３３７１６号公報
【発明の概要】
【発明が解決しようとする課題】
【０００５】
ところで、上記のような電動ポンプでは、例えば車両シート内に収容した複数のブラダーを順次膨張・収縮動作させるために、例えばモータの回転を利用したロータリーバルブ部を採用することが考えられる。このようなロータリーバルブ部は、ポンプ部と接続される吸気口と、大気解放された排気口を有し、ロータリーバルブ部が回転駆動して各吐出口の位置に吸気口が対向して重なった時に、バルブ部の吐出口と接続されるブラダー（空気袋）に流体が供給されることとなる。そして、吸気口と重ならない吐出口は排気口と重なり、ブラダー内の流体を排気することが可能となっている。
【０００６】
このような構成の場合、排気口が全ての吐出口と重なる位置で駆動停止しないとブラダー内の流体が排気できず、一部のブラダーのみが膨張したままになってしまう可能性がある。そこで、例えば、ロータリーバルブ部の位置検出装置を備えて、駆動停止する際には必ず全ての吐出口が排気口と重なる位置に停止するよう制御する方法が考えられる。しかしながら、位置検出装置としてはリミットスイッチやマグネットスイッチ等が必要であり、これらを駆動させるために別途回路も必要となり、部品点数の増加の虞がある。
【０００７】
本発明は、上記課題を解決するためになされたものであって、その目的は、部品点数を抑えることができる電動ポンプを提供することにある。
【課題を解決するための手段】
【０００８】
上記課題を解決する電動ポンプは、回転駆動するモータ部と、前記モータ部の回転駆動を伝達する伝達部と、前記伝達部によって伝達される単一の前記モータ部の回転駆動力によってポンプ室を膨張・収縮させて流体を吸入口から吸入し吐出口から吐出するポンプ部と、前記ポンプ部から供給される前記流体を取りこむ吸気口と、前記流体を外部に吐出する複数の流体吐出口と、排気口とを有し、前記伝達部によって伝達される前記単一のモータ部の回転駆動力によって回転されることで前記複数の流体吐出口が順次前記吸気口と択一的に切り替えられるロータリーバルブ部と、を備え、前記ポンプ部の駆動に伴う流体吐出時には前記ポンプ部から前記ロータリーバルブ部側に流体を供給可能な流路と、前記ポンプ部が停止されて前記ポンプ部側の圧力が減圧されることで前記ロータリーバルブ部が大気解放される流路とを有するエキゾーストバルブを前記ポンプ部と前記ロータリーバルブ部との間に備え、前記ポンプ部が停止されて前記ポンプ部側の圧力が減圧されることで前記エキゾーストバルブが大気開放された状態となり、該エキゾーストバルブの大気開放された流路によって前記ロータリーバルブ部が大気開放される。
【０００９】
この構成によれば、ポンプ部とロータリーバルブ部との間に、ポンプ部が停止されて前記ポンプ部側の圧力が減圧されることで前記ロータリーバルブ部が大気解放される流路を有するエキゾーストバルブが備えられる。このため、ロータリーバルブ部側において例えば吸気口と流体吐出口が重なった状態であっても、大気解放された流路を有するエキゾーストバルブによって外部に排出（排気）することが可能となる。このため、別途位置検出を行う必要がなく部品点数の増加を抑えることが可能となる。
【発明の効果】
【００１０】
本発明の電動ポンプによれば、部品点数を抑えることができる。
【図面の簡単な説明】
【００１１】
【図１】一実施形態における車両シートと電動ポンプの概略構成図である。
【図２】同上における電動ポンプの正面図である。
【図３】同上における電動ポンプの側面図である。
【図４】同上における電動ポンプのモータ部及びポンプ部の分解斜視図である。
【図５】同上における電動ポンプのモータ部の一部及びバルブ部の分解斜視図である。
【図６】同上における電動ポンプの６−６断面図である。
【図７】同上における電動ポンプの７−７断面図である。
【図８】同上における電動ポンプの８−８断面図である。
【図９】同上における電動ポンプのポンプ部の断面図である。
【図１０】別例における電動ポンプの側面図である。
【図１１】別例における電動ポンプの側面図である。
【図１２】別例における電動ポンプのポンプ部の断面図である。
【図１３】別例における電動ポンプの断面図である。
【発明を実施するための形態】
【００１２】
以下、電動ポンプを有する車両シートの一実施形態について説明する。
図１に示すように、本実施形態の車両シート１０は、シートクッション１１と、シートバック１２と、ヘッドレスト１３とを有する。また、車両シート１０の内部又はその近傍に電動ポンプ３０が設けられる。
【００１３】
シートクッション１１は、使用者が着座可能な座面を形成している。シートクッション１１の後端側にはシートバック１２が傾動可能に支持されている。
シートバック１２は、使用者の背をもたれかけさせることができる背もたれ部を形成している。シートバック１２の上端側には使用者の頭部を保護するヘッドレスト１３が支持されている。
【００１４】
また、本実施形態の車両シート１０は、シートクッション１１とシートバック１２とのそれぞれに膨縮可能な複数のブラダー２１〜２６が収容されている。
（ブラダー）
ブラダー２１〜２６は、着座した乗員に対するリフレッシュ動作を行うリフレッシュ用ブラダー２１〜２５と、着座した乗員の腰部をサポートするランバー用ブラダー２６とで構成される。
【００１５】
図１に示すように、リフレッシュ用ブラダー２１〜２５は、シートクッション１１に収容される第１ブラダー２１及び第２ブラダー２２と、シートバック１２に収容される第３ブラダー２３、第４ブラダー２４及び第５ブラダー２５とで構成される。
【００１６】
第１ブラダー２１は、シートクッション１１の幅方向に２つ並設される。
第２ブラダー２２は、第１ブラダー２１よりも後端側（シートバック１２側）であって、シートクッション１１の幅方向に２つ並設される。
【００１７】
第３ブラダー２３は、シートバック１２の上下方向下方寄りにおいて、シートバック１２の幅方向に２つ並設される。
第４ブラダー２４は、第３ブラダー２３よりも上側（ヘッドレスト１３側）であって、シートバック１２の幅方向に２つ並設される。
【００１８】
第５ブラダー２５は、第４ブラダー２４よりも上側（ヘッドレスト１３側）であって、シートバック１２の幅方向に２つ並設される。
即ち、シートバック１２に収容される第３〜第５ブラダー２３，２４，２５は、下方から順に第３ブラダー２３、第４ブラダー２４、第５ブラダー２５が上下方向に並ぶようにシートバック１２内に収容される。
【００１９】
ランバー用ブラダー２６は、シートバック１２において下方寄りで左右方向（幅方向）に２つ並ぶようにシートバック１２内に収容され、着座した乗員の腰部を主にサポートするものである。なお、ランバー用ブラダー２６は、シートバック１２に収容される第３ブラダー２３と第４ブラダー２４との間に設けられる。
【００２０】
各ブラダー２１〜２６は、後述する電動ポンプ３０の駆動によって給排される流体（空気）によって膨縮動作が実施される。
図２及び図３に示すように、電動ポンプ３０は、モータ部３１と、減速部３２と、ロータリーバルブ部３３（以下、単にバルブ部３３という）と、ポンプ部３４とを有する。
【００２１】
図２に示すように、モータ部３１は、有底筒状に形成されたヨークハウジング４１と、ヨークハウジング４１の内周に固定されたマグネット４２と、ヨークハウジング４１内で回転可能に支持されるロータ４３とを有する。ロータ４３は、その中心に回転軸４３ａを備え、回転軸４３ａの基端部（図２において上端部）は、ヨークハウジング４１の底部中央に組み付けられた軸受（図示略）により回転可能に支持されている。また、ロータ４３の整流子にはブラシ（共に図示略）が摺接するように構成されており、このブラシにはコネクタＣを介して外部から電源が供給され、前記ブラシから整流子に対して電源が供給されるようになっている。ヨークハウジング４１には、その開口側に径方向に延びるフランジ部４１ａが形成されており、このフランジ部４１ａは後述するギヤハウジング５１に対してネジＳ１にて固定されている。
【００２２】
図２〜図４に示すように、回転軸４３ａには、減速部３２を構成するウォーム軸５２ａとジョイント部材４４（図４参照）を介して駆動連結される。ちなみに、図２においてジョイント部材の破線による図示を省略している。
【００２３】
図２、図４及び図５に示すように減速部３２は、ギヤハウジング５１と、モータ部３１から延びる回転軸４３ａと同一軸線Ｌ１上で一体回転するように駆動連結されたウォーム軸５３及びウォーム軸５３と噛合するウォームホイール５４から構成されるウォームギヤ５２と、遊星歯車機構５５とを有する。
【００２４】
ギヤハウジング５１は、前記ヨークハウジング４１に連結固定されるとともにウォーム軸５３を収容するウォーム収容部５１ａと、ウォーム収容部５１ａの中間部の軸線直交方向（図２において右方向）にウォーム収容部５１ａと連通するギヤ収容部５１ｂとを有する。
【００２５】
ウォームホイール５４は、略円盤状に形成され、その外周の歯がウォーム軸５３の歯に噛合されている。また、ウォームホイール５４には、遊星歯車機構５５の一部を構成する太陽歯車５５ａがネジＳ２によって固定されている。太陽歯車５５ａには、その略中心に中心支持軸５６が挿通され、その中心支持軸５６が前記ギヤハウジング５１のギヤ収容部５１ｂに固定される。
【００２６】
遊星歯車機構５５は、太陽歯車５５ａと、遊星歯車５５ｂと、内歯車５５ｃとを有する。
遊星歯車５５ｂは、筒状の外周に歯が形成されてなり、その内周が遊星支持軸５７に外嵌されて回転可能に支持されるとともに、外周に形成された歯が前記太陽歯車５５ａ及び内歯車５５ｃに噛合されている。
【００２７】
内歯車５５ｃは、略円環状の内周に歯が形成され、外側にはギヤハウジング５１にネジＳ２固定するための挿通孔５８が形成される。
各遊星支持軸５７は、後述するバルブ部３３を構成する駆動ホイール６１と接続されている。詳しくは、後述する駆動ホイール６１に形成された３つの係合穴７３ａに各遊星支持軸５７が挿通され、遊星支持軸５７（遊星歯車５５ｂ）が太陽歯車５５ａを中心として周囲を公転することに伴って駆動ホイール６１が回転されるようになっている。このとき、遊星歯車５５ｂは、遊星支持軸５７を中心として回転（自転）するようになっている。
【００２８】
バルブ部３３は、ロータリーバルブであって、駆動ホイール６１と、バルブベース６２と、バルブ本体６３と、バルブカバー６４とを有する。
図５及び図６に示すように、駆動ホイール６１は、略円盤状に形成される本体７１と、本体７１の一面側に一体形成されるカム部７２とを有する。駆動ホイール６１の本体７１には、カム部７２が形成される面とは反対側に遊星支持軸５７が挿通される係合穴７３ａが３箇所形成されている。また、駆動ホイール６１にはその略中心に、前記中心支持軸５６が挿通可能な中心穴７３ｂが形成されている。駆動ホイール６１のカム部７２は、駆動ホイール６１の回転中心である中心支持軸５６の延びる方向（軸方向）から視て三日月状をなし、各遊星支持軸５７を中心とした円弧形状をなすように形成されたよりなる凸状外周面７２ａと、中心支持軸５６側に凹状の円弧形状をなすように形成された凹状外周面７２ｂとを有する。また、駆動ホイール６１のカム部７２が形成される面には突起７４が形成される。より詳しくは、突起７４は前記凹状外周面７２ｂが面する位置に形成される。
【００２９】
バルブベース６２は、駆動ホイール６１を内挿する貫通孔７６と、バルブ本体６３を載置可能なベース部７７とを有する。バルブベース６２は、前記内歯車５５ｃとともにネジＳ２によってギヤハウジング５１に固定される。
【００３０】
バルブ本体６３は、略円盤状に形成され、バルブカバー６４との対向面側に２つの通気口７８，７９が形成されている。
図８に示すように通気口７８，７９は、バルブ本体６３の内部において連通するようになっている。通気口７８,７９は、バルブ本体６３の中心において開口する中心通気口７８と、中心通気口７８の外側において開口する外側通気口７９とで構成される。
【００３１】
図７に示すように、中心通気口７８の周囲であって前記外側通気口７９を除いた部分が、前記通気口７８，７９の開口方向に凹状をなすように窪み部８０が形成される。この窪み部８０は、その範囲が中心通気口７８の周囲であって前記外側通気口７９を除いた部分が凹状をなすため、通気口７８,７９の開口方向から視て略円弧状をなすように形成される。
【００３２】
図５及び図６に示すように、バルブ本体６３には、駆動ホイール６１と係合する従動ホイール６５が一体形成されている。
ここで、前述した駆動ホイール６１と従動ホイール６５とで、所謂ゼネバ機構が構成され、駆動ホイール６１が連続駆動し、従動ホイール６５が間欠駆動するようになっている。
【００３３】
図６に示すように、従動ホイール６５は、同一形状の弧状の凹部８１と、径方向外側に向かって開口する同一形状のＵ字状に切り欠かれた溝部８２とが、回転方向（周方向）に沿って所定ピッチで５箇所ずつ交互に形成されている。従動ホイール６５の中心部には、ベース部７７に形成された筒部７７ａが挿通されて支持される係合孔６５ａが形成される。ちなみに、前記筒部７７ａには、スプリングＳＰが内挿され、スプリングＳＰによって前記従動ホイール６５をベース部７７から離間する方向（バルブカバー６４側に近接する）方向に付勢されている。
【００３４】
各溝部８２は、駆動ホイール６１の回転に伴って回転される突起７４と順番に係合するようになっている。つまり、駆動ホイール６１が回転されることで、突起７４が各溝部８２に入り込んで係合し、係合状態を維持したまま駆動ホイール６１が回転されることで、突起７４と溝部８２とが係合している間、従動ホイール６５が回転されるようになっている。このとき、カム部７２の凹状外周面７２ｂが従動ホイール６５側を通るため、駆動ホイール６１のカム部７２と従動ホイール６５との接触が回避されるようになっている。そして、突起７４と溝部８２との係合状態が解除（突起７４が溝部８２から離脱）すると、従動ホイール６５は停止される。このとき、駆動ホイール６１の回転駆動が継続されるため、凸状外周面７２ａが凹部８１の円弧面に沿って相対移動される。このようにして、連続駆動を間欠駆動に切り替えるようになっている。
【００３５】
図５に示すように、バルブカバー６４は、バルブベース６２に対してネジＳ３によって取り付けられるものである。このため、バルブベース６２をギヤハウジング５１に取り付けた状態でバルブカバー６４をバルブベース６２に取り付けることで、駆動ホイール６１及びバルブ本体６３が収容されることとなる。
【００３６】
バルブカバー６４は、バルブ本体６３を収容するバルブ本体収容部８３を有する。バルブ本体収容部８３は、有底円筒状に形成され、その底部８３ａには、複数の孔８４，８５，８６が形成される。複数の孔８４，８５，８６は、円形状の底部８３ａの中心に形成されるとともにノズルＮ１が取付可能な中心取付孔８４と、中心取付孔８４の外側であって排気用に用いる５つの排気孔８５と、排気孔８５の更に外側であってノズルＮ２が取付可能な外側取付孔８６とで構成される。
【００３７】
図５に示すように、中心取付孔８４には、ノズルＮ１が取り付けられる。中心取付孔８４に取り付けられたノズルＮ１は、ポンプ部３４と接続されるホース（図示略）が接続されるようになっている。
【００３８】
図８に示すように、中心取付孔８４は、組み付け状態においてバルブ本体６３の通気口７８と対向し連通するようになっている。
図７及び図８に示すように、中心取付孔８４と通気口７８との間に隙間を生じさせないようにＯリング７８ａが設けられている。
【００３９】
各外側取付孔８６にはノズルＮ２が取り付けられる。各外側取付孔８６に取り付けられたノズルＮ２は、それぞれリフレッシュ用ブラダー２１〜２５と接続されるホース（図示略）が接続されるようになっている。
【００４０】
図８に示すように、外側取付孔８６は、従動ホイール６５が停止中において複数ある内の１つが例えばバルブ本体６３の外側通気口７９と対向し、連通されるようになっている。これにより、中心取付孔８４、中心通気口７８、外側通気口７９および外側取付孔８６が連通した状態となっている。
【００４１】
図７及び図８に示すように、外側取付孔８６と通気口７９とが対向する際に、その間に隙間を生じさせないようにＯリング７９ａが設けられている。
排気孔８５は、例えば１つの外側取付孔８６が従動ホイール６５停止中において外側通気口７９と対向するとき、窪み部８０と対向する。このため、排気孔８５同士は連通した状態となる。さらに、外側通気口７９と対向しない外側取付孔８６も窪み部８０と対向するため、外側通気口７９と対向しない外側取付孔８６、窪み部８０及び排気孔８５が連通した状態となる。
【００４２】
図９に示すように、ポンプ部３４は、ポンプハウジング９１と、カバー９２と、ダイヤフラム部材９３と、シール材９４と、ノズル取付用板９５と、ノズルＮ３とを有する。
ポンプハウジング９１は、ギヤハウジング５１と一体形成される略有底四角筒状の本体部１０１と、本体部１０１に組み付けられるとともにダイヤフラム部材９３を保持する略四角筒状の筒部１０２とを有する。
【００４３】
本体部１０１は、その底部（図９中、上部）の軸中心には軸挿通孔１０１ａが形成される。
筒部１０２は、周方向に等角度（９０°）間隔で４つの貫通孔１０２ａが形成されている。なお、図９では、２つの貫通孔１０２ａのみが図示されている。
【００４４】
ダイヤフラム部材９３は、４つの前記貫通孔１０２ａに対応した位置であって、周方向に並ぶ４つのダイヤフラム１０３を有する。
ダイヤフラム１０３は、カップ状に形成されポンプ室Ｐを形成するポンプ室形成部１０３ａと、ポンプ室形成部１０３ａの底部から突出した充実体である断面略台形の操作部１０３ｂと、操作部１０３ｂの底部から突出した被保持部１０３ｃとを有する。
【００４５】
図９に示すように、各ダイヤフラム１０３は、ポンプ室形成部１０３ａの開口部が連結板状部１０３ｄにて連結されて１つのダイヤフラム部材９３とされ、各ダイヤフラム１０３が貫通孔１０２ａを介して筒部１０２内に配置されるとともに連結板状部１０３ｄが筒部１０２とカバー９２とにより挟持されて保持されている。
【００４６】
また、前記カバー９２において、各ポンプ室形成部１０３ａ（ポンプ室Ｐ）と対応した位置には、吸入口９２ａと吐出口９２ｂとが形成されている。また、カバー９２において、吸入口９２ａには、ポンプ室Ｐが外部に比べて、負圧となった際に開状態となり正圧となった際に閉状態となるアンブレラ弁１０４が設けられ、吐出口９２ｂには、ポンプ室Ｐが外部に比べて、負圧となった際に閉状態となり正圧となった際に開状態となるアンブレラ弁１０５が設けられている。
【００４７】
シール材９４は、吸入口９２ａと対応した位置には、吸入口９２ａを連通させるべく孔が形成され、吐出口９２ｂと対応した位置には、吐出口９２ｂを連通させるべく孔が形成されている。
【００４８】
ノズル取付用板９５は、略四角形板状をなすように形成され、ネジＳ４によって筒部１０２、ダイヤフラム部材９３、カバー９２及びシール材９４を介在した状態で本体部１０１と組み付けられる。
【００４９】
ここで、ウォーム軸５３の先端には、連結部材１０６が固定され、連結部材１０６において軸線Ｌ１上からずれた位置には、軸線Ｌ１上に向かって傾斜する傾斜軸１０６ａが固定されている。そして、傾斜軸１０６ａには、ウォーム軸５３の回転によってウォーム軸５３側に傾斜した方向に順次往復運動する周方向に複数（本実施形態では４つ）の作動部１０７ａを有した作動部材１０７が装着されている。そして、各作動部１０７ａには、保持孔１０７ｂが形成され、各保持孔１０７ｂには前記ダイヤフラム１０３の被保持部１０３ｃが嵌入されて保持されている。
【００５０】
図１に示すように、本実施形態では、ポンプ部３４から供給される流体は、リフレッシュ用ブラダー２１〜２５に供給される場合と、ランバー用ブラダー２６に供給される場合とで、流路を選択可能とする切替バルブＢ１が設けられる。切替バルブＢ１の下流側において、ランバー用ブラダー２６と接続される流路中にバルブＢ２が設けられる。このバルブＢ２は、ランバー用ブラダー２６への給気と、ランバー用ブラダー２６内の流体の排気とで切り替えられるようになっている。
【００５１】
図１に示すように、切替バルブＢ１の下流側において、リフレッシュ用ブラダー２１〜２５と接続される流路中にエキゾーストバルブＢ３が設けられる。より具体的には、エキゾーストバルブＢ３は電動ポンプ３０のバルブ部３３の上流側に設けられている。エキゾーストバルブＢ３は、例えば、ポンプ部３４から流体（例えば空気）が給気された場合には、その圧力でバルブ部３３側の流路が開いて流体が供給され、ポンプ部３４（電動ポンプ３０）の駆動が停止されると、ポンプ部３４側の圧力が減圧されることでポンプ部３４とバルブ部３３との流路が閉じられ、バルブ部３３が排気可能な流路が開く構造をなしている。
【００５２】
次に、上記のように構成された電動ポンプ３０の作用について説明する。
モータ部３１が駆動されて回転軸４３ａが回転すると、ウォーム軸５３が回転する。これによって、ポンプ部３４の傾斜軸１０６ａが傾斜した状態で回転し、それによって作動部材１０７の作動部１０７ａがウォーム軸５３側に傾斜した方向に順次往復運動される。すると、各作動部１０７ａに連結された各ダイヤフラム１０３が構成する各ポンプ室Ｐが順次膨張・収縮されて流体（本実施形態では空気）が吸入口９２ａから吸入されてノズルＮ３から吐出される。
【００５３】
一方、ウォーム軸５３が回転すると、ウォーム軸５３と噛合されるウォームホイール５４が回転する。これにより、遊星歯車機構５５の太陽歯車５５ａが回転し、それに伴って太陽歯車５５ａの周囲を遊星歯車５５ｂが自転しながら公転する。遊星歯車５５ｂが公転することで、遊星歯車５５ｂの遊星支持軸５７が挿通される駆動ホイール６１が回転する。そして、駆動ホイール６１が回転すると、駆動ホイール６１の突起７４が周期的に従動ホイール６５の溝部８２と係合することで、従動ホイール６５が間欠駆動する。駆動ホイール６１が回転中であって従動ホイール６５が停止している際は、従動ホイール６５と一体形成されたバルブ本体６３の外側通気口７９がバルブカバー６４の複数の外側取付孔８６の１つと対向するようになっている。
【００５４】
ここで、例えば、切替バルブＢ１においてリフレッシュ用ブラダー２１〜２５側への流路が選択されている場合、ポンプ部３４から吐出される流体は、前記ホース、切替バルブＢ１、エキゾーストバルブＢ３を介してバルブ部３３の中心取付孔８４（ノズルＮ１）からバルブ部３３内に流入される。そして、流入された流体は、中心取付孔８４、中心通気口７８、外側通気口７９、及び外側通気口７９と対向する外側取付孔８６を通ってリフレッシュ用ブラダー２１〜２５側に供給される。このとき、外側通気口７９と対向しない外側取付孔８６は前述したように窪み部８０と対向するため、外側通気口７９と対向しない外側取付孔８６（ノズルＮ２）と接続されたリフレッシュ用ブラダー２１〜２５内の流体を排出することが可能となっている。
【００５５】
そして、電動ポンプ３０の駆動が停止された際には、ポンプ部３４からの流体の吐出は無くなるため、エキゾーストバルブＢ３が大気解放された状態となる。
次に、本実施形態の効果を記載する。
【００５６】
（１）ポンプ部３４とロータリーバルブ部３３との間に、ポンプ部３４が停止されて前記ポンプ部側の圧力が減圧されることでロータリーバルブ部３３が大気解放される流路を有するエキゾーストバルブＢ３が備えられる。このため、ロータリーバルブ部３３側において例えば通気口７９と外側取付孔８６が重なった状態であっても、大気解放された流路を有するエキゾーストバルブＢ３によって外部に排出（排気）することが可能となる。このため、別途位置検出を行う必要がなく部品点数の増加を抑えることが可能となる。
【００５７】
なお、上記実施形態は、以下のように変更してもよい。
・上記実施形態では切替バルブＢ１とロータリーバルブ部３３との間にエキゾーストバルブＢ３を設ける構成としたが、これに限らない。
【００５８】
図１０に示すように、ロータリーバルブ部３３のバルブ本体収容部８３の中心取付孔８４（図８参照）にエキゾーストバルブＢ３を設ける構成を採用してもよい。このようにロータリーバルブ部３３とエキゾーストバルブＢ３を一体構造とすることで小型化できる。
【００５９】
図１１に示すように、ポンプ部３４のノズル取付用板９５（図９参照）にエキゾーストバルブＢ３を設ける構成を採用してもよい。このようにポンプ部３４とエキゾーストバルブＢ３を一体構造とすることで小型化できる。
【００６０】
また、エキゾーストバルブＢ３として次のような構成を採用してもよい。
図１２に示すように、エキゾーストバルブＢ３は、３つの開口部１１１ａ，１１１ｂ，１１１ｃを有して内部に略Ｔ字状の通路（流路）が形成される筒部１１１と、筒部１１１内を摺動可能に設けられる弁１１２とを有する。
【００６１】
筒部１１１は、３つの開口部１１１ａ，１１１ｂ，１１１ｃが内部で連通するように構成されている。３つの開口部１１１ａ，１１１ｂ，１１１ｃの内の１つの開口部１１１ａは、ポンプ部３４側と接続される。また、３つの開口部１１１ａ，１１１ｂ，１１１ｃの内の１つの開口部１１１ｂは、ロータリーバルブ部３３と接続される。そして、３つの開口部１１１ａ，１１１ｂ，１１１ｃの内の１つの開口部１１１ｃは、大気解放される。また、開口部１１１ａと開口部１１１ｃとは、略同一直線上で開口され、その開口方向が互いに逆向きになるように形成される。また、開口部１１１ｂは、その開口方向が開口部１１１ａの開口方向と直交する方向（開口部１１１ｃの開口方向と直交する方向）となるように形成される。
【００６２】
弁１１２は、電動ポンプ３０の停止時には筒部１１１内に収容されたスプリング１１３により、大気解放された開口部１１１ｃ側からポンプ部３４側と接続される開口部１１１ａ側に付勢されるようになっている。これにより、電動ポンプ３０の停止時には、大気解放された開口部１１１ｃとロータリーバルブ部３３と接続された開口部１１１ｂとの間の流路が形成（選択）され、バルブ部３３によって選択されている膨張したブラダー２１〜２５内の流体が外部に排気される。
【００６３】
ここで、スプリング１１３の付勢力はポンプ部３４から供給される流体による前記弁１１２に作用する力（圧力）よりも小さい。これにより、ポンプ部３４（電動ポンプ３０）が駆動中の場合には、弁１１２が大気解放された開口部１１１ｃ側に押されることで、ポンプ部３４とバルブ部３３との間の流路が形成（選択）され、ポンプ部３４からバルブ部３３側に流体を供給することができ、これに伴い、バルブ部３３によって選択されているブラダー２１〜２５が膨張されるようになっている。
【００６４】
上述したように、エキゾーストバルブＢ３の弁１１２をスプリング１１３によってポンプ部３４側と接続される開口部１１１ａ側に付勢することで、電動ポンプ３０の停止時には、スプリング１１３によって素早くポンプ部３４側に弁１１２を移動させることができる。これにより、バルブ部３３によって選択されている膨張したブラダー２１〜２５内の流体を即座に排気させることができる。
【００６５】
・ポンプ部３４として次のような構成を採用してもよい。
図１３に示すように、ポンプ部３４のノズル取付用板９５に形成されたリブ９５ａと、シール材９４との間を離間させることで間隙Ｋを形成してもよい。この間隙Ｋを形成することで、電動ポンプ３０（ポンプ部３４）の駆動が停止した場合に、前記間隙Ｋより流体（空気）が漏れ、エキゾーストバルブＢ３の弁１１２がポンプ部３４側（流体の流れの上流側）に作動し易くなる。これに伴い、バルブ部３３によって選択されている膨張したブラダー２１〜２５内の流体を外部に排気し易くなる。
【００６６】
また、上記構成のポンプ部３４と、前述したように図１２に示すエキゾーストバルブＢ３とを組み合わせた構成を採用してもよい。このような構成とすることで、ポンプ部３４側の圧力が下がるため、エキゾーストバルブＢ３の弁１１２をスプリング１１３によってポンプ部３４側に作動させやすくなる。
【００６７】
・上記実施形態では、減速部３２の一部としてウォーム軸５３及びウォームホイール５４を用いる構成としたが、これに限らない。例えば遊星歯車機構５５を多段で利用することでモータ部３１（回転軸４３ａ）の回転駆動力を減速させる構成を採用してもよい。
【００６８】
・上記実施形態では、ブラダーとしてリフレッシュ用ブラダー２１〜２５とランバー用ブラダー２６とを用いる構成としたが、これに限らない。例えば、ランバー用ブラダー２６を省略する構成や、ランバー用ブラダー２６の数を変更する構成を採用してもよい。
【００６９】
・上記実施形態では、リフレッシュ用ブラダー２１〜２５の数を１０個（５組）としたが、これに限らない。バルブ部３３の切替によって複数のブラダーの膨張・収縮動作を個別に行うことができれば良く、例えばブラダーを２つ以上とすれば任意に変更してもよい。
【００７０】
・上記実施形態では、間欠駆動部として駆動ホイール６１と従動ホイール６５からなるゼネバ機構を用いる構成としたが、パラレルインデックスカム機構などの他の間欠駆動機構を用いる構成を採用してもよい。
【００７１】
・上記実施形態並びに各変形例は適宜組み合わせてもよい。
【符号の説明】
【００７２】
３０…電動ポンプ、３１…モータ部、３２…減速部（伝達部）、３３…ロータリーバルブ部（バルブ部）、３４…ポンプ部、５２…ウォームギヤ、５３…ウォーム軸、５４…ウォームホイール、５５…遊星歯車機構、５５ａ…太陽歯車、８４…中心取付孔（吸気口）、８５…排気口、８６…外側取付孔（流体吐出口）、９２ａ…吸入口、９２ｂ…吐出口、Ｐ…ポンプ室、Ｂ３…エキゾーストバルブ。
【図１】
0006469525.tif 000002
【図２】
0006469525.tif 000003
【図３】
0006469525.tif 000004
【図４】
0006469525.tif 000005
【図５】
0006469525.tif 000006
【図６】
0006469525.tif 000007
【図７】
0006469525.tif 000008
【図８】
0006469525.tif 000009
【図９】
0006469525.tif 000010
【図１０】
0006469525.tif 000011
【図１１】
0006469525.tif 000012
【図１２】
0006469525.tif 000013
【図１３】
0006469525.tif 000014